(57)【要約】【課題】昇降操作用端子台に対する電源線の誤配線をし難くした昇降装置及び昇降式照明装置を提供する。【解決手段】ワイヤーロープ１３を巻き取り・巻き戻しする駆動装置１２が被設置部Ａに設置される本体１１と；ワイヤーロープを介して吊り下げられて昇降する昇降部１４と；前記駆動装置に電源を供給するための上昇線２０ａ、下降線２０ｂおよび共通線２０ｃからなる電源線２０が接続可能に構成され、電源線の上昇線が接続される上昇端子１５ａ、下降線が接続される下降端子１５ｂおよび共通線が接続される共通端子１５ｃを有し、共通端子を上昇端子および下降端子から分離して本体に設けた昇降操作用端子台１５と；を具備する昇降装置１０を構成する。【選択図】        図２
2008311115.tif 000002
【特許請求の範囲】
【請求項１】
ワイヤーロープを巻き取り・巻き戻しする駆動装置が被設置部に設置される本体と；
ワイヤーロープを介して吊り下げられて昇降する昇降部と；
前記駆動装置に電源を供給するための上昇線、下降線および共通線からなる電源線が接続可能に構成され、電源線の上昇線が接続される上昇端子、下降線が接続される下降端子および共通線が接続される共通端子を有し、共通端子を上昇端子および下降端子から分離して本体に設けた昇降操作用端子台と；
を具備することを特徴とする昇降装置。
【請求項２】
前記昇降操作用端子台は、共通端子を１極形端子台で構成し、上昇端子および下降端子を２極形端子台で構成したことを特徴とする請求項１記載の昇降装置。
【請求項３】
請求項１または２記載の昇降装置と；
昇降部に取付けられた照明器具と；
を具備することを特徴とする昇降式照明装置。
【発明の詳細な説明】
【技術分野】
【０００１】
本発明は、照明器具等を昇降させるための昇降装置及び昇降式照明装置に関する。
【背景技術】
【０００２】
近年では、各種の店舗、オフィスや多目的ホール等では、より良好な照明効果を発揮させる目的から、吹き抜けのある高天井に照明器具を設置し高所からの照明を行うようになってきている。高天井に設置される照明装置の場合には、ランプ交換等、メンテナンスの面から照明器具を天井から床に下降させるための昇降装置を用いた昇降式照明装置が多用されている。
【０００３】
この昇降式照明装置は、例えば、特許文献１に示されるように、高天井等に設置される昇降装置に昇降操作用端子台が設けられ、電源線により床側の操作盤と接続されている。そして、操作盤で上昇、下降の切換操作を行って昇降装置のワイヤーロープを巻き取り・巻き戻しすることにより昇降部を昇降させ、照明器具のメンテナンスを行っている。
【特許文献１】特開２０００−１６７６７号公報
【発明の開示】
【発明が解決しようとする課題】
【０００４】
しかしながら、特許文献１に示される昇降装置は、電動モーターからなる駆動装置を正逆転させてワイヤーロープを巻き取り・巻き戻しするために、操作盤と昇降操作用端子台の接続は、上昇線、下降線および共通線からなる３線の電源線が使用され、昇降操作用端子台も３極形の端子台が使用されている。
【０００５】
この３極形の端子台は、電源線の上昇線が接続される上昇端子、下降線が接続される下降端子および共通線が接続される共通端子からなり、各端子は、ＳＬ（スクリューレス）端子で構成され、外見上は小さな孔が近接し、しかも等間隔に配置されている。このため、どのＳＬ端子にどの電源線を接続するかが判別し難く、端子の近くに、３線の電源線の色に合わせた「黒」「赤」「白」等の文字や塗料を塗布して表示し誤配線を防止している。
【０００６】
しかし、施工現場においては、文字が小さく判読が困難であり、特に、高くしかも暗い高天井付近での配線作業は、極めて困難な作業でもあり誤配線が生じる恐れがあった。
【０００７】
さらに、昇降操作用端子台のＳＬ端子に電源線の接続種別を間違えて配線した場合、例えば、上昇線と下降線を間違えて配線した場合には、電動モーターの回転が逆になり昇降動作が逆転する。また、上昇線と共通線または下降線と共通線を入れ替えて配線した場合には、正規配線状態では電圧のかからない上昇端子と下降端子間に電圧が印加され装置の故障を引き起こす恐れがある。
【０００８】
このため、この種の昇降式照明装置等においては、施工現場における誤配線を如何に防止するかが重要な課題となっている。
【０００９】
本発明は、上述した課題を解決することを目的とし、昇降操作用端子台に対する電源線の誤配線をし難くした昇降装置及び昇降式照明装置を提供しようとするものである。
【課題を解決するための手段】
【００１０】
請求項１に記載の昇降装置の発明は、ワイヤーロープを巻き取り・巻き戻しする駆動装置が被設置部に設置される本体と；ワイヤーロープを介して吊り下げられて昇降する昇降部と；前記駆動装置に電源を供給するための上昇線、下降線および共通線からなる電源線が接続可能に構成され、電源線の上昇線が接続される上昇端子、下降線が接続される下降端子および共通線が接続される共通端子を有し、共通端子を上昇端子および下降端子から分離して本体に設けた昇降操作用端子台と；を具備することを特徴とする。
【００１１】
本発明によれば、共通端子を上昇端子および下降端子から分離して本体に設けた昇降操作用端子台により、電源線の上昇線と共通線または下降線と共通線を入れ替えて誤配線することが低減されるので、装置の故障を防止することが可能になる。
【００１２】
本発明において、昇降操作用端子台の共通端子を上昇端子および下降端子から分離して本体に設ける手段は、例えば、共通端子を構成する端子台と、上昇端子および下降端子を構成する端子台を別体に構成し、それぞれを隣接して配置することにより分離した状態で設けることが許容される。
【００１３】
分離する距離は、上記のように隣に連接して配置するような距離であっても、例えば、６面体からなる立方体の各面に分離して、例えば、本体の両側面にそれぞれの端子台を分離して設けるようにしてもよく、要は、電源線における配線可能な距離との関係を考慮して最適な距離で分離させればよい。
【００１４】
昇降装置は、オートストップ式でも任意高さ設定方式でもよい。昇降部に照明器具を取付けて、昇降式照明装置を構成することが好ましいが、照明器具以外の天井等に設置される器具、例えば、装飾用のミラーボール等を昇降部に取付けて構成してもよい。
【００１５】
請求項２に記載の発明は、請求項１記載の昇降装置において、前記昇降操作用端子台は、共通端子を１極形端子台で構成し、上昇端子および下降端子を２極形端子台で構成したことを特徴とする。
【００１６】
本発明によれば、昇降操作用端子台は、共通端子を１極形端子台で構成し、上昇端子および下降端子を２極形端子台で構成したことにより、共通端子と上昇端子および下降端子を設けた各端子台の外観形状を異ならせることができ、外見上からも両端子の識別機能を果たすことができる。
【００１７】
共通端子を構成する１極形端子台、上昇端子および下降端子を構成する２極形端子台は、１極または２極の端子のみで構成しても、さらに送り端子、アース端子や補助端子等を具備したものであってもよい。また端子の構造はＳＬ端子でもネジ式の端子、若しくはＳＬ端子とネジ式端子を組み合わせたものであってもよく、各端子台は、外観上識別可能な形態をなした全ての端子台が許容される。
【００１８】
請求項３に記載の昇降式照明装置の発明は、請求項１または２記載の昇降装置と；昇降部に取付けられた照明器具と；を具備することを特徴とする。
【発明の効果】
【００１９】
請求項１の発明によれば、共通端子を上昇端子および下降端子から分離して本体に設けた昇降操作用端子台により、電源線の上昇線と共通線または下降線と共通線を入れ替えて誤配線することが低減されるので、装置の故障を防止することが可能な昇降装置を提供することができる。
【００２０】
請求項２の発明によれば、昇降操作用端子台は、共通端子を１極形端子台で構成し、上昇端子および下降端子を２極形端子台で構成したことにより、共通端子と上昇端子および下降端子を設けた各端子台の外観形状を異ならせることができ、外見上からも両端子の識別機能を果たし、分離して本体に設ける手段と相まって、より一層確実に電源線の上昇線と共通線または下降線と共通線を入れ替えて配線することがし難くなり、装置の故障を防止することが可能な昇降装置を提供することができる。
【００２１】
請求項３の発明によれば、装置の故障を防止することが可能な昇降式照明装置を提供することができる。
【発明を実施するための最良の形態】
【００２２】
以下、本発明の昇降装置及び昇降式照明装置の実施形態につき説明する。
【実施例１】
【００２３】
１０は本発明の昇降装置を構成するオートストップ式電動昇降装置で、本体１１、本体に内蔵される駆動装置１２、駆動装置で巻き取り・巻き戻しされるワイヤーロープ１３、ワイヤーロープを介し本体に対して昇降される昇降部１４、本体の一側面に設けられた昇降操作用端子台１５で構成する。
【００２４】
本体１１は、下面を開放した箱状のケース部材１１ａと、ケース部材の下面開放部分を閉塞するカバー部材１１ｂにより構成する。
【００２５】
箱状のケース部材１１ａの前面側に収納部１１ｃを形成し、この収納部内に後述する昇降操作用端子台１５を収納する。収納部には開閉可能な蓋体１１ｄが設けられ、蓋を開放することにより外部から昇降操作用端子台１５に対し、所定の電気配線が行えるようする。
【００２６】
カバー部材１１ｂは板状に形成し、本体ケースの下面部分を構成する。これらケース部材１１ａとカバー部材１１ｂからなる本体１１は、鉄、ステンレスやアルミニウム等の金属または合成樹脂などで構成する。
【００２７】
箱状をなすケース部材１１ａには、内部の中心部分に昇降部１４が嵌合する下面開放の円筒状をなす嵌合部１６を形成する。嵌合部１６の内底面には電源線に接続される本体側の一対の電気接点１６ａを露出させて設ける。さらに嵌合部１６の内側面には、図示しないが昇降部１４をロックするための落下防止機構、自動停止装置等を設置する。
【００２８】
ケース部材１１ａ内で、嵌合部１６に隣接する側方部分には、本発明の駆動装置１２を構成する直流式の電動モーター１２ａ、ワイヤードラム１２ｂ及びリール１２ｃを設置し、電動モーター１２ａの正逆回転によりドラム１２ｂ、リール１２ｃを介してワイヤーロープ１３の巻き取り・巻き戻しを行うように構成する。
【００２９】
ワイヤーロープ１３は、ステンレス製のワイヤーで構成し、下端部に昇降部１４を連結する。昇降部１４は、円筒状をなす嵌合部１６に合致して嵌合するようにやや扁平の下面開放の円筒状をなす形状に構成し、その上面に一対の昇降側電気接点１４ａを露出させて設け、昇降部１４が嵌合部１６に嵌合したときに本体側電気接点１６ａと電気的に接続できるように構成する。
【００３０】
昇降部１４は、嵌合部１６に嵌合した際に、落下防止機構でロックされ、また自動停止装置により自動的に停止する。昇降部１４の下面には、昇降させる器具、本実施形態では照明器具３０を取付け、照明器具のランプ３０ａには、昇降側電気接点１４ａ及び本体側電気接点１６ａが接続されることにより電力が供給される。昇降部１４も本体ケース１１と同様に鉄、ステンレスやアルミニウム等の金属または合成樹脂などで構成する。
【００３１】
カバー部材１１ｂは、４本の取付ネジ１１ｅをケース部材１１ａの４隅の角部に取付けて、ケース部材１１ａの下面の開放部分を閉塞すると共に、取付ネジ１１ｅを外すことによりケース部材１１ａから取り外して下面の開放部分を開き、装置内部のモーター等部品の修理、点検等を行うことができるようにする。
【００３２】
図１中、１７は水準器、図２（ｂ）中、２０は前記電動モーター１２ａに電源を供給するための上昇線２０ａ、下降線２０ｂおよび共通線２０ｃからなる電源線で、上昇線２０ａを黒色、下降線２０ｂを赤色、共通線２０ｃを白色のコードで構成した３芯のＦケーブルで構成されている。
【００３３】
昇降操作用端子台１５は、電源線２０の上昇線２０ａが接続される上昇端子１５ａ、下降線２０ｂが接続される下降端子１５ｂおよび共通線２０ｃが接続される共通端子１５ｃからなり、上昇端子１５ａおよび下降端子１５ｂは２極形端子台１５ｄで構成し、共通端子１５ｃは１極形端子台１５ｅで構成する。
【００３４】
さらに、２極形端子台１５ｄと１極形端子台１５ｅは、本体１１の収納部１１ｃ内に立設されて設けられた端子台設置プレート１５ｆに、それぞれの端子台が隣接して離間するように分離して設置する。
【００３５】
２極形端子台１５ｄに設けられる上昇端子１５ａ、下降端子１５ｂは、ＳＬ端子で構成して端子の孔が隣接し、かつ前面側に面するように配置する。さらに上昇端子１５ａに隣接してアース端子１５ｇを設ける。図中２１ａ、２１ｂ、２１ｇは、上昇端子１５ａ、下降端子１５ｂおよびアース端子１５ｇに、それぞれ対応した送り端子であり、外観上は３極の機能を有する端子台として構成してある。
【００３６】
１極形端子台１５ｅに設けられる共通端子１５ｃは、ＳＬ端子で構成し、端子の孔が前面側に面するように配置する。２１ｃは共通端子１５ｃに対応した送り端子である。なお、１極形端子台１５ｅは、部品の共通化のために２極形端子台１５ｄと同一の３極の機能を有する端子台で構成し、残り２極の端子は、合成樹脂からなる遮蔽板２２で塞ぎ端子として使用できないように構成する。遮蔽板の表面には「使用禁止」の文字を印刷して表示してある。
【００３７】
図中、２３ａ、２３ｂ、２３ｃは、電源線における上昇線２０ａの黒色、下降線２０ｂの赤色、共通線２０ｃの白色に対応して、各端子部台１５ｄ、１５ｅの上部に貼付された表示ラベルで、上昇端子１５ａに対応して黒色の表示ラベル２３ａを、下降端子１５ｂの上部に赤色の表示ラベル２３ｂを、共通端子１５ｃの上部に白色の表示ラベル２３ｃをそれぞれ貼付する。
【００３８】
さらに、電源線における上昇線２０ａの黒色、下降線２０ｂの赤色、共通線２０ｃの白色に対応して、上昇端子１５ａ、下降端子１５ｂ、共通端子１５ｃの周囲近辺に、それぞれ黒、赤、白の塗料が塗布されている（図示せず）。
【００３９】
なお、図中２５は、器具操作用端子台であり、床側の操作盤に接続された器具側電源線（図示せず）が器具操作用端子台２５のＳＬ端子に接続される。このＳＬ端子の他端側は、本体１１内で、嵌合部１６内に設けられた本体側電気接点１６ａと接続され、この器具操作用端子台２５を通して操作盤から電源の供給と停止を行うことにより、昇降部１４に連結された照明器具３０の点灯・消灯を行う。
【００４０】
図中２６は、本発明の支持部材を構成する取付アームで、本体１１と同様に鉄、ステンレスやアルミニウム等の金属または合成樹脂などで、略Ｕ字形状をなす形状に形成し、アームを構成する両側端部をケース部材１１ａの両側面に、２本のボルトによってそれぞれ支持し、このボルトを中心として本体１１に対し回動できるように構成する。Ｕ字形状をなす取付アーム２６の水平部分には、アームを支持ボルト等で天井等に固定するための貫通する支持孔２６ａを２個形成する。
【００４１】
上記に構成した昇降装置１０の昇降部１４には、照明器具３０を取付けて、昇降式照明装置４０を構成する。
【００４２】
すなわち、照明器具３０は、放電灯からなるランプ３０ａ、ランプを装着するソケット３０ｂ及びランプを内包する反射体３０ｃで構成する。ランプを装着するソケット３０ｂの両端子は、昇降部１４の昇降側電気接点１４ａにリード線１４ｂを介して接続する。
【００４３】
次に、上記のように構成した昇降式照明装置４０を、多目的ホール等の吹き抜けのある高天井に設置するための施工の手順を説明する。
【００４４】
まず、作業者はクレーン等で照明器具を設置する被設置部である天井Ａの付近まで上り、昇降装置１０を持ち上げて取付アーム２６の支持孔２６ａを、天板下地材やスラブにあらかじめ取付けられた２本の支持ボルトに挿通し、ナットをねじ込むことにより本体１１を天井Ａに固定する。
【００４５】
次に、床側の操作盤と昇降装置１０の昇降操作用端子台１５および器具操作用端子台２５を配線する。まず、本体１１の蓋体１１ｄを開放して各端子台１５、２５を露出させ、３芯のＦケーブルからなる電源線２０を昇降操作用端子台１５の各端子に接続する。
【００４６】
すなわち、白色の共通線２０ｃを１極形端子台１５ｅに設けられた共通端子１５ｃに挿入して、１極形端子台１５ｅ側の配線をまず完了させる。
【００４７】
次に、２極形端子台１５ｄに移り、黒色の上昇線２０ａを上昇端子１５ａに、赤色の下降線２０ｂを下降端子１５ｂにそれぞれ挿入して接続し、最後にアース線（図示せず）をアース端子１５ｇに挿入して接続する。
【００４８】
この際、作業者は、１極形端子台１５ｅと２極形端子台１５ｄは分離して設けられており、さらに、１極形端子台１５ｅには使用禁止の遮蔽板２２があり、かつ端子部分が塞がれているので、２極形端子台１５ｄとは外観上明らかに異なっていることから、注意喚起されて１極形端子台１５ｅと２極形端子台１５ｄとを間違えることなく明確に区別できる。
【００４９】
同時に、電源線２０の各コードの色に対応して設けられた表示ラベルや塗布された塗料の色によって、接続すべき端子部を再度明確に識別して確認することもでき、誤配線になることなく正確な配線作業を行うことができる。
【００５０】
次に、器具操作用端子台２５に器具側電源線を挿入して接続し、蓋体１１ｄを閉じて配線作業を完了し床に降りる。なお、それぞれの電源線は、上記端子台への配線完了後に、操作盤に配線接続される。
【００５１】
次に、操作盤を操作して昇降装置１０に電源を投入し、電動モーター１２ａを駆動してワイヤーロープ１３を巻き戻して繰り出し、昇降部１４を床面に降ろす。
【００５２】
降ろした昇降部１４と照明器具３０とに所定の電気配線を行った後に、両者をねじ等で連結して取付け、照明器具３０と昇降部１４を一体化する。電動モーター１２ａを逆転して駆動しワイヤーロープ１３を巻き取り昇降部１４と共に照明器具２０を上昇させ、昇降部１４を本体１１の嵌合部１６内に収納する。この際、昇降部１４は自動停止装置によって嵌合した所定の位置に自動的に停止する。
【００５３】
これにより昇降部１４の昇降側電気接点１４ａと、嵌合部１６の本体側電気接点１６ａが接続される。また、昇降部１４はロック機構により嵌合部１６内に確実にロックされ、照明器具２０は天井４０に上昇設置したまま確実に固定して支持される。
【００５４】
これにより、昇降装置１０の器具操作用端子台２５に予め配線された器具側電源線を通して照明器具３０のランプ３０ａに電力が供給される状態になり、床側の操作盤を操作することにより、ランプ３０ａの点灯・消灯を行うことができる。
【００５５】
また、昇降装置の昇降操作用端子台１５と床側の操作盤は上昇線、下降線、共通線の３芯からなる電源線２０を介して接続され、床側の操作盤の切換スイッチを操作することにより、上昇線２０ａと共通線２０ｃ間に定格電圧（単相２００Ｖ）を印加して昇降装置を上昇させ、また、下降線２０ｂと共通線２０ｃ間に定格電圧（単相２００Ｖ）を印加して下降させる。この昇降動作により、例えば、ランプ交換等のメンテナンスを行うことができる。
【００５６】
しかして、上記設置作業において、誤配線をした場合には、次のような現象が発生する。
【００５７】
すなわち、電源線２０が所定の端子に正常に接続された場合には、図３（ａ）（上昇時）および同図（ｂ）（下降時）に、それぞれ実線の太線で示すように、操作盤の切換スイッチＳを「上昇」「下降」に切換えることにより、電動モーターＭへの電流の向きを逆にして、昇降部１４の上昇および下降動作を正確に行う。
【００５８】
しかし、図３（ｃ）に破線で示すように、下降線２０ｂと共通線２０ｃを入れ替えて配線した場合には、電源を投入すると実線の太線で示すように正規配線状態では電圧がかからない上昇端子１５ａと下降端子１５ｂとの間に単相２００Ｖの電圧が印加され、リレーＲ１が励起されて上昇側に接続されていた接点Ｒ１が、図３（ｄ）の矢印で示すように瞬時にＯＦＦとなる。リレーＲ１がＯＦＦとなると接点Ｒ１が元に戻り上昇側に接続される。接点Ｒ１は、この状態を高速で繰り返してチャタリング状態を引き起こす。このチャタリングにより接点が溶着しリレー故障の原因となる。
【００５９】
なお、図３中Ｒ１、Ｒ２、Ｒ３はリレー、このリレーＲ１、Ｒ２、Ｒ３により動作する接点を、それぞれ接点上にＲ１、Ｒ２、Ｒ３で表示した。Ｌ１、Ｌ２は昇降部１４の解除時およびロック時の動作に連動するマイクロスイッチ、Ｌ３はワイヤーロープ１３の弛みを検知するマイクロスイッチ、Ｍは電動モーター１２ａである。
【００６０】
本実施例によれば、共通線２０ｃを接続する１極形端子台１５ｅと上昇線２０ａおよび下降線２０ｂを接続する２極形端子台１５ｄは、分離して設け、さらに１極形端子台１５ｅには使用禁止の遮蔽板２２があり、かつ端子部分が塞がれているので、２極形端子台１５ｄとは外観上明らかに異なっており、１極形端子台１５ｅと２極形端子台１５ｄとを間違えることなく明確に区別できる。これにより、作業者の誤配線を防止することが可能となり、正確な配線作業を行うことができ、上述のような現象を生じさせることがないので、リレー故障の発生を防止することができる。
【００６１】
また、同時に、電源線２０の各コードの色に対応して設けられた表示ラベルや塗布された塗料の色によって、接続すべき端子部を再度明確に識別して確認することもでき、誤配線になることなく一層正確な配線作業を行うことができる。
【００６２】
以上、本実施例において、図４に示すように、共通線２０ｃを接続する１極形端子台１５ｅと上昇線２０ａおよび下降線２０ｂを接続する２極形端子台１５ｄは、本体１１の両側面にそれぞれ分離して設けるように構成してもよい。
【００６３】
１極形端子台１５ｅを、部品の共通化のために２極形端子台１５ｄと同一の３極の機能を有する端子台で構成し、残り２極の端子を遮蔽板２２で塞いだが、全く機能および外形の異なる別個の端子台で構成し、外観および機能上も２極形端子台１５ｄとは明確に異なる構成となし、より一層明確に区別できるように構成してもよい。
【００６４】
本実施例では、天井吊り下げ形の昇降式照明装置に適用したが、照明器具を天井に埋め込むダウンライト形の昇降式照明装置に適用してもよい。
【００６５】
以上、本発明の好適な実施形態を説明したが、本発明は上述の実施例に限定されることなく、本発明の要旨を逸脱しない範囲内において、種々の設計変更を行うことができる。
【図面の簡単な説明】
【００６６】
【図１】本発明の実施形態における昇降装置及び昇降式照明装置を、一部を切り欠いて示す斜視図。
【図２】同じく昇降装置を示し、（ａ）は蓋体を開放した状態で示す正面図、（ｂ）は昇降操作用端子台を拡大して示す正面図。
【図３】同じく昇降装置の配線図および電気回路図を示し、（ａ）は上昇時の配線図および電気回路図、（ｂ）は下降時の配線図および電気回路図、（ｃ）は誤配線時における動作を示す配線図および電気回路図、（ｄ）は（ｃ）における誤配線時における他の動作を示す配線図および電気回路図。
【図４】同じく昇降装置の変形例を示す正面図。
【符号の説明】
【００６７】
１０  昇降装置
１１  本体
１２  駆動装置
１３  ワイヤーロープ
１４  昇降部
１５  昇降操作用端子台
１５ａ  上昇端子
１５ｂ  下降端子
１５ｃ  共通端子
１５ｄ  ２極形端子台
１５ｅ  １極形端子台
２０  電源線
２０ａ  上昇線
２０ｂ  下降線
２０ｃ  共通線
３０  照明器具
４０  昇降式照明装置
Ａ  被設置部
【図１】
2008311115.tif 000003
【図２】
2008311115.tif 000004
【図３】
2008311115.tif 000005
【図４】
2008311115.tif 000006